(57)【要約】【課題】１／７００スケール艦船模型用の装飾パーツを、リアルさを向上させたプラスチック成形品として流通可能にする。【解決手段】艦船用連装機銃パーツセット１０は、先端に連装機銃が形成され左右ほぼ対称に配置される枝状ランナー１３を途中に備える直線状の中枠ランナー１４と、中枠ランナー１４の両端と連結され外側を取り囲む様に形成される外枠ランナー１５とを備える。装飾用パーツ１１，１２の大きさ・形状はほぼ同一で、銃身が枝状ランナー１３と同一方向に真っ直ぐ伸びている。外枠ランナー１５は矩形状で、上端面が装飾パーツ１１，１２の上端面よりも高く、下端面が装飾パーツ１１，１２の下端面よりも低くなる十分な深さを備え、装飾パーツ１１，１２の横まで伸びる内向き枝状ランナー１６をも備える。また、複数個を連結するための第１係合部１８と第２係合部２０が一体形成されている。【選択図】  図１
2010012114.tif 000002
【特許請求の範囲】
【請求項１】
プラスチック射出成形によって製造され、以下の構成を備えたことを特徴とする艦船模型用装飾パーツセット。
（１）先端に個々の装飾パーツが形成され左右ほぼ対称に配置される枝状ランナーを途中に備え、該枝状ランナーより大きな断面積を有する直線状の中枠ランナーと、該中枠ランナーの両端と連結されると共に前記各装飾用パーツの外側を取り囲む様に形成される外枠ランナーとを備えていること。
（２）前記外枠ランナーは、前記中枠ランナーを中心として左右ほぼ対称な形状に形成され、その上端面が前記装飾パーツの上端面よりも高く、その下端面が前記装飾パーツの下端面よりも低くなる様に十分な深さを備えると共に、前記枝状ランナーの先端に形成された装飾パーツの横まで伸びる内向き枝状ランナーを備えていること。
（３）前記中枠ランナーは、前記外枠ランナーと上端面及び下端面の位置が同一となる十分な深さを備えていること。
【請求項２】
さらに、以下の構成をも備えていることを特徴とする請求項１記載の艦船模型用装飾パーツセット。
（４）前記各装飾パーツが機銃であり、各装飾パーツは、機銃の銃身の中心がパーティングラインとされていること。
【請求項３】
さらに、以下の構成をも備えていることを特徴とする請求項１又は２記載の艦船模型用装飾パーツセット。
（５）前記外枠ランナーが矩形状で、対向する二辺の外側に上下方向に伸びる突出部を有する第１係合部と、該第１係合部の突出部を受け入れる凹部を有する第２係合部とが一体に形成されていること。
【請求項４】
プラスチック射出成形によって艦船模型用装飾パーツを製造するための金型であって、以下の構成を備えたことを特徴とする艦船模型用装飾パーツセット成形用金型。
（１１）先端に個々の装飾パーツ形成用空所が形成され左右ほぼ対称に配置される枝状ランナー形成用空所を途中に備え、該枝状ランナー形成用空所よりも大きな断面積を有する直線状の中枠ランナー形成用空所と、該中枠ランナー形成用空所の両端と連結されると共に前記各装飾用パーツ形成用空所の外側を取り囲む様に形成される外枠ランナー形成用空所とを一体的に備えた成形用キャビティが形成されていること。
（１２）前記成形用キャビティにおいて、前記各装飾パーツ形成用空所は、機銃形成用の空所であって、機銃の銃身の中心がパーティングラインとなる様に形成されていること。
（１３）前記成形用キャビティにおいて、前記外枠ランナー形成用空所は、前記中枠ランナー形成用空所を中心として左右ほぼ対称な矩形状をなし、当該キャビティに向かって伸びる湯道と前記中枠ランナー形成用空所とが一直線状に位置し、該湯道との接続部の反対側に部品名等を表示するための表示用プレート形成用空所が一体形成されると共に、その上端面が前記装飾パーツ形成用空所の上端面よりも高く、その下端面が前記装飾パーツ形成用空所の下端面よりも低くなる様に十分な深さを備えると共に、前記装飾パーツ形成用空所の横まで伸びる内向き枝状ランナー形成用空所を備えていること。
（１４）前記成形用キャビティにおいて、前記中枠ランナー形成用空所は、前記外枠ランナー形成用空所と上端面及び下端面の位置が同一となる十分な深さを備えていること。
（１５）前記成形用キャビティにおいて、中枠ランナー形成用空所と平行な一辺の外側に第１係合部形成用空所が、該一辺と対向する辺に第２係合部形成用空所が前記外枠ランナー形成用空所と一体に形成されていること。
（１６）前記可動型側には成形品の表面が食い込むアンダーカットを形成すると共に、押出ピンを、ランナー形成用空所内の成形品に対して平均的に押出力を加える様に適当数配置すると共に、前記各装飾パーツ形成用空所内の成形品の機銃の台座の中心部を押す押出ピンも備えていること。
【発明の詳細な説明】
【技術分野】
【０００１】
本発明は、艦船模型用の装飾パーツセットに係り、より詳しくは、１／７００スケール等の縮尺率の大きいプラスチックモデル製艦船を装飾するための装備品をプラスチック成形品として提供するための艦船模型用装飾パーツセット及び成形用金型に関する。
【背景技術】
【０００２】
近年、本願出願人は、図８に例示する様な金属板をエッチング加工してなる１／７００スケール艦船模型用の装飾パーツを提供して好評を得た。しかし、プラモデルファンからは、よりリアルな立体的イメージが与えられ、塗装も自由にできる様なプラスチック製の微少かつ微細な艦船模型用の装飾パーツに対する要望は高い。
【０００３】
ところで、プラスチックモデルの部品は、図９（Ａ）〜（Ｃ）に例示する様に、射出成形によって製造される（特許文献１〜３）。
【特許文献１】特開昭６２−５０１１２号公報（図５）
【特許文献２】特開平１０−１００１９６号公報（図１，図２）
【特許文献３】特開２００３−７９９６７号公報（図３）
【発明の開示】
【発明が解決しようとする課題】
【０００４】
特許文献１，２は人形模型であり、各部品はそれほど微細なものではない。特許文献３は鉄道模型の愛称マークの部品であり、部品自体は小さいけれどもそれほど複雑な形状をしてはいない。しかしながら、１／７００スケール艦船模型用の装飾パーツとなると、部品が微細でかつ形状は複雑になる。このため、よりリアルな部品を求める要望に応えようとすると、いくつかの問題が生じる。
【０００５】
まず、「（１）微細かつ複雑な形状の部品を精度良く成形することの困難性」という問題に遭遇する。また、「（２）微細かつ複雑な形状の部品を流通・販売する際の損傷を防止する必要がある」という問題にも遭遇する。さらに、「（３）一隻の艦船模型に装備すべき連装機銃の数は相当数になることから、多数のパーツを一単位の商品パッケージに含ませる必要がある」という問題にも遭遇する。
【０００６】
そこで、本願は、上記の様な問題点を解決し、１／７００スケール等の縮尺率の大きい艦船模型用の装飾パーツを、リアルさを向上させたプラスチック成形品として流通可能にすることを目的とする。
【課題を解決するための手段】
【０００７】
上記目的を達成するためになされた本発明の艦船模型用装飾パーツセットは、プラスチック射出成形によって製造され、以下の構成を備えたことを特徴とする。
（１）先端に個々の装飾パーツが形成され左右ほぼ対称に配置される枝状ランナーを途中に備え、該枝状ランナーより大きな断面積を有する直線状の中枠ランナーと、該中枠ランナーの両端と連結されると共に前記各装飾用パーツの外側を取り囲む様に形成される外枠ランナーとを備えていること。
（２）前記外枠ランナーは、前記中枠ランナーを中心として左右ほぼ対称な形状に形成され、その上端面が前記装飾パーツの上端面よりも高く、その下端面が前記装飾パーツの下端面よりも低くなる様に十分な深さを備えると共に、前記枝状ランナーの先端に形成された装飾パーツの横まで伸びる内向き枝状ランナーを備えていること。
（３）前記中枠ランナーは、前記外枠ランナーと上端面及び下端面の位置が同一となる十分な深さを備えていること。
【０００８】
例えば、本発明の艦船模型用装飾パーツセットは、さらに、以下の構成をも備える。
（４）前記各装飾パーツが機銃であり、各装飾パーツは、機銃の銃身の中心がパーティングラインとされていること。
【０００９】
上記目的を達成するためになされた本発明の艦船模型用装飾パーツセットは、中枠ランナーから左右ほぼ対称に配置される枝状ランナーの先端に個々の装飾パーツが成形される構造となっており、かつ、中枠ランナーの両端と連結された外枠ランナーを備えている。従って、外枠ランナー部分に侵入した溶融プラスチックは、中枠ランナーの両端から各枝状ランナーへと侵入する。外枠ランナー及び中枠ランナーを深さの十分なものとしたので、このときの湯の流れはスムーズになると共に、断面積の大小関係により、枝状ランナーへ侵入する際に絞られて圧力が上がり、その先端の装飾パーツを高い圧力で侵入するプラスチックによって良好に形成することができる。従って、溶融したプラスチックは、個々の装飾パーツの隅々まで流入する。外枠ランナーは、こうしたプラスチックの流入をスムーズにする作用に加えて、その深さが十分にあると共に内向き枝状ランナーを備えることによって、成形された後の個々の装飾パーツを保護し、流通過程における損傷等を防止する役割をも果たしている。機銃の場合の銃身の中心線が枝状ランナーの中心とほぼ同一の面内に伸びる
【００１０】
また、本発明の艦船模型用装飾パーツセットは、さらに、以下の構成をも備えるとよい。
（５）前記外枠ランナーが矩形状で、対向する二辺の外側に上下方向に伸びる突出部を有する第１係合部と、該第１係合部の突出部を受け入れる凹部を有する第２係合部とが一体に形成されていること。
【００１１】
かかる構成をも備えることにより、本発明の艦船模型用装飾パーツセットは、第１係合部と第２係合部とを係合させることにより、複数個連結した状態で商品パッケージに収納することができる。従って、図９に例示した様な多数の連装機銃をパーツとして提供する場合、これらを全て一体に成形するのではなく、例えば、各パーツセット毎には６個（あるいは８個）の連装機銃が成形品として備わる様にしておき、これらを３個連結して１８個（あるいは２４個）を１つのパッケージとして流通させることができる。従って、流通させたい個数の単位よりも少ない個数の装飾パーツを配置したパーツセットが成形できれば流通上の問題はなくなり、成形に当たっては、一つのパーツセットに備えるべき装飾パーツの個数を少なくすることにより成形不良の発生を防止する作用をより高めることもできる。この様に、構成（６）をも備えることにより、成形性を改善しつつ、流通という観点での受容者の要望にも応えることができ、かつ、流通におけるセット個数の変更を可能にするという作用も奏することができる。
【００１２】
また、上記目的を達成するためになされた本発明の艦船模型用装飾パーツセット成形用金型は、プラスチック射出成形によって艦船模型用装飾パーツを製造するための金型であって、以下の構成を備えたことを特徴とする。
（１１）先端に個々の装飾パーツ形成用空所が形成され左右ほぼ対称に配置される枝状ランナー形成用空所を途中に備え、該枝状ランナー形成用空所よりも大きな断面積を有する直線状の中枠ランナー形成用空所と、該中枠ランナー形成用空所の両端と連結されると共に前記各装飾用パーツ形成用空所の外側を取り囲む様に形成される外枠ランナー形成用空所とを一体的に備えた成形用キャビティが形成されていること。
（１２）前記成形用キャビティにおいて、前記各装飾パーツ形成用空所は、機銃形成用の空所であって、機銃の銃身の中心がパーティングラインとなる様に形成されていること。
（１３）前記成形用キャビティにおいて、前記外枠ランナー形成用空所は、前記中枠ランナー形成用空所を中心として左右ほぼ対称な矩形状をなし、当該キャビティに向かって伸びる湯道と前記中枠ランナー形成用空所とが一直線状に位置し、該湯道との接続部の反対側に部品名等を表示するための表示用プレート形成用空所が一体形成されると共に、その上端面が前記装飾パーツ形成用空所の上端面よりも高く、その下端面が前記装飾パーツ形成用空所の下端面よりも低くなる様に十分な深さを備えると共に、前記装飾パーツ形成用空所の横まで伸びる内向き枝状ランナー形成用空所を備えていること。
（１４）前記成形用キャビティにおいて、前記中枠ランナー形成用空所は、前記外枠ランナー形成用空所と上端面及び下端面の位置が同一となる十分な深さを備えていること。
（１５）前記成形用キャビティにおいて、中枠ランナー形成用空所と平行な一辺の外側に第１係合部形成用空所が、該一辺と対向する辺に第２係合部形成用空所が前記外枠ランナー形成用空所と一体に形成されていること。
（１６）前記可動型側には成形品の表面が食い込むアンダーカットを形成すると共に、押出ピンを、ランナー形成用空所内の成形品に対して平均的に押出力を加える様に適当数配置すると共に、前記各装飾パーツ形成用空所内の成形品の機銃の台座の中心部を押す押出ピンも備えていること。
【００１３】
本発明の艦船模型用装飾パーツセット成形用金型によれば、湯道と中枠ランナー形成用空所が一直線状に位置しているので、溶融したプラスチックは、湯道から中枠ランナー形成用空所及び外枠ランナー形成用空所へと３方向に分岐して侵入する。外枠ランナー形成用空所へと分岐した溶融プラスチックは湯道の反対側で合流し、中枠ランナー形成用空所へと湯道の反対側から侵入する。このとき、湯道の反対側には表示用プレート形成用の厚さの小さい横長の空所が存在するから、溶融したプラスチックは湯道と反対側の外枠ランナー内では圧力が高くなる。そして、中枠ランナー形成用空所から枝状ランナー形成用空所へと侵入する際の断面積差による絞り効果も加わり、湯道から遠い位置にある装飾パーツ成形用空所へと親友する湯の圧力は相対的に高くなる。この結果、湯道から離れた側の枝状ランナー形成用空所及びその先の装飾パーツ成形用空所へもスムーズに溶融プラスチックが侵入する。そして、各装飾パーツ形成用空所において、機銃の銃身の中心をパーティングラインとしているから、機銃の銃身は枝状ランナー形成用空所の中心とほぼ一致しており、細い銃身の先端まで溶融プラスチックをスムーズに流入させることができる。また、可動型側に意図的にアンダーカットを形成しておくことで、型開きの際に成形品が固定型側から抜け易く、型開きにおいて損傷する等の問題をなくしている。そして、各装飾パーツ形成用空所の機銃の台座の中心部を押す押出ピンも配置したので、離型を確実に実行でき、この離型の際に機銃の銃身が千切れる等の問題も防止できている。さらに、第１係合部形成用空所と第２係合部形成用空所を備えたので、パーツセット単位で成形すべき装飾パーツの数を少なくしておき、パーツセット同士を連結して必要個数の装飾パーツが確保された流通形態とすることができる。従って、この成形用金型によれば、本発明が提供しようとする艦船模型用の装飾パーツセットを的確に製造することができる。
【発明の効果】
【００１４】
本発明の艦船模型用装飾パーツセットによれば、１／７００スケール等の縮尺率の大きい艦船模型用の装飾パーツをプラスチック成形品として提供することができ、その場合の不良品の発生を抑制し、微細で精巧な形状のリアルな立体部品としてこれを提供することができる。ユーザーは、従来のエッチング加工による装飾パーツの様な折り曲げ作業を要することなく、艦船模型に対する連装機銃等の装備品を手際よく接着固定することができる。
【発明を実施するための最良の形態】
【００１５】
以下、本発明を具体化した実施形態を図面に基づき詳細に説明する。実施形態は１／７００スケール艦船模型装飾用の艦船用連装機銃パーツセットである。
【００１６】
艦船用連装機銃パーツセット１０は、図１〜図５に示す様に、先端に三連装機銃１１又は二連装機銃１２が形成され左右ほぼ対称に配置される枝状ランナー１３，１３，…を途中に備える直線状の中枠ランナー１４と、中枠ランナー１４の両端と連結されると共に各装飾用パーツ１１，１２の外側を取り囲む様に形成される外枠ランナー１５とを備えている。
【００１７】
三連装機銃１１と二連装機銃１２は、銃身の数が異なるだけで、全体の大きさ形状はほぼ同一である。各装飾パーツ１１，１２は、機銃の銃身が枝状ランナー１３との接続部から枝状ランナー１３と同一方向に真っ直ぐ伸びる様に形成されている。また、外枠ランナー１５は、中枠ランナー１４を中心として左右ほぼ対称な矩形状の形状に形成され、その上端面が装飾パーツ１１，１２の上端面よりも高く、その下端面が装飾パーツ１１，１２の下端面よりも低くなる様に十分な深さを備えると共に、枝状ランナー１３，１３，…の先端に形成された装飾パーツ１１，１２の横まで伸びる内向き枝状ランナー１６，１６，…を備えている。なお、中枠ランナー１４及び外枠ランナー１５の断面形状は長円状で、大きな断面積を有し、枝状ランナー１３は円形断面で相対的に断面積が小さくなるので、中枠ランナーから枝状ランナーへと侵入する湯は絞りによって圧力が高まった状態となる。
【００１８】
また、外枠ランナー１５の対向する二辺の外側に下方向に伸びる突出部１７を有するＬ字状断面の第１係合部１８と、第１係合部１８の突出部１７を受け入れる凹部１９を有する第２係合部２０とが一体に形成されている。なお、符号２２はパーツ名称表示用プレート、符号２３，２４は部品番号表示プレートである。
【００１９】
この艦船用連装機銃パーツセット１０を射出成形で製造するための成形用金型３０には、図６，図７に示す様に、先端に三連装機銃形成用空所４１又は二連装機銃形成用空所４２が形成され左右ほぼ対称に配置される枝状ランナー形成用空所４３，４３，…を途中に備える直線状の中枠ランナー形成用空所４４と、中枠ランナー形成用空所４４の両端と連結されると共に各装飾用パーツ形成用空所４１，４２の外側を取り囲む様に形成される外枠ランナー形成用空所４５とを備えた成形用キャビティ４０が形成されている。
【００２０】
成形用キャビティ４０の各装飾パーツ形成用空所４１，４２は、いずれも大きさ及び形状がほぼ同一で、機銃の銃身が枝状ランナー４３，４３，…と同一方向に真っ直ぐ伸びる様に形成されいる。この装飾パーツ形成用空所４１，４２は、機銃の銃身の上面が固定型３１側となる様に、機銃の銃身中心線をパーティングラインとする型割りにされている。
【００２１】
また、成形用キャビティ４０において、外枠ランナー形成用空所４５は、中枠ランナー形成用空所４４を中心として左右ほぼ対称な矩形状をなし、キャビティに向かって伸びる湯道３３と中枠ランナー形成用空所４４とが一直線状に位置し、湯道３３との接続部の反対側に部品名等を表示するための表示用プレート形成用空所４６を一体に備えたものとして配置・構成されている。
【００２２】
さらに、成形用キャビティ４０において、外枠ランナー形成用空所４５は、可動型３２側に、中枠ランナー形成用空所４４と平行な一辺の外側に突出部形成用空所５１を有する第１係合部形成用空所５２が一体形成されている。また、可動型３２において、この一辺と対向する辺に第２係合部形成用空所５３が一体形成されている。この第２係合部形成用空所５３に対して第１係合部形成用空所５２の突出部形成用空所５１とほぼ同一形状の突起５４が固定型３１側に体形されている。
【００２３】
ここで、可動型３２側には成形品の表面が食い込むアンダーカットを形成すると共に、押出ピン６１，６１，…を、ランナーの部分に対して平均的に押出力を加える様に適当数配置すると共に、各装飾パーツ形成用空所４１，４２毎にも機銃の台座の中心部を押す様に押出ピン６２，６２，…を配置した。
【００２４】
この艦船模型用装飾パーツセット成形用金型３０によれば、湯道３３と中枠ランナー形成用空所４４が一直線状に位置しているので、溶融したプラスチックは、湯道３３から中枠ランナー形成用空所４４及び外枠ランナー形成用空所４５へと３方向に分岐して侵入する。外枠ランナー形成用空所４５へと分岐した溶融プラスチックは湯道３３の反対側で合流し、中枠ランナー形成用空所４４に対して湯道３３の反対側から侵入する。このとき、湯道３３の反対側には高さの狭い表示用プレート形成用空所４６が存在するから、この部分で、表示用プレート形成用空所４６の影響によって外枠ランナー１５内の溶融プラスチックの圧力が高くなる。そして、中枠ランナー形成用空所４４への侵入した溶融プラスチックは枝状ランナー形成用空所４３の方が断面積が小さいことによって絞られて圧力を高めた状態で枝状ランナー形成用空所４３へと侵入する。この結果、湯道３３から離れた側の枝状ランナー形成用空所４３へもスムーズに溶融プラスチックが侵入する。そして、各装飾パーツ形成用空所４１，４２は、ほぼ同一形状の連装機銃形成用空所であって、その銃身が枝状ランナー形成用空所４３と同一方向に真っ直ぐ伸びているので、細い銃身の先端まで溶融プラスチックをスムーズに流入させることができる。また、機銃の銃身の中心線をパーティングラインとした機銃上面側を固定型３１とする割型で構成し、可動型３２側に意図的にアンダーカットを形成しておくことで、型開きの際に成形品が固定型３１側から抜け易く、型開きにおいて損傷する等の問題をなくしている。そして、各装飾パーツ形成用空所４１，４２の機銃の台座の中心部を押す押出ピン６２も配置したので、離型を確実に実行でき、この離型の際に機銃の銃身が千切れる等の問題も防止できている。さらに、第１係合部形成用空所５２と第２係合部形成用空所５３とによって第１係合部１８と第２係合部２０とを備えた製品として形成することができるので、パーツセット単位で成形すべき装飾パーツの数を少なくしておき、パーツセット同士を連結して必要個数の装飾パーツが確保された流通形態とすることができる。
【００２５】
こうして成形された艦船模型用装飾パーツセット１０は、第１係合部１８と第２係合部２０とを係合させることにより、複数個連結した状態で商品パッケージに収納することができる。
【００２６】
以上、発明を実施するための最良の形態としての実施形態を説明したが、本発明は、これに限定されるものではなく、その要旨を逸脱しない範囲内における種々の変更が可能である。
【図面の簡単な説明】
【００２７】
【図１】実施形態の艦船用連装機銃パーツセットを示し、（Ａ）は上方から見た斜視図、（Ｂ）は下方から見た斜視図である。
【図２】実施形態の艦船用連装機銃パーツセットを示し、（Ａ）は上方から見た斜視図、（Ｂ）は下方から見た斜視図である。
【図３】実施形態の艦船用連装機銃パーツセットを示し、（Ａ）は平面図、（Ｂ）は底面図である。
【図４】実施形態の艦船用連装機銃パーツセットを示し、（Ａ）は正面図、（Ｂ）は背面図、（Ｃ）は右側面図、（Ｄ）は左側面図である。
【図５】実施形態の艦船用連装機銃パーツセットを示し、（Ａ）はａ−ａ端面図、（Ｂ）はｂ−ｂ端面図、（Ｃ）はｃ−ｃ端面図、（Ｄ）はｄ−ｄ端面図、（Ｅ）はｅ−ｅ端面図である。
【図６】実施形態の成形用金型を示し、（Ａ）は固定型の平面図、（Ｂ）は可動型の底面図である。
【図７】実施形態の成形用金型のキャビティ部分を拡大して示す断面図である。
【図８】従来技術の説明図である。
【図９】従来技術の説明図である。
【符号の説明】
【００２８】
１０・・・艦船用連装機銃パーツセット
１１・・・三連装機銃
１２・・・二連装機銃
１３・・・枝状ランナー
１４・・・中枠ランナー
１５・・・外枠ランナー
１６・・・内向き枝状ランナー
１７・・・突出部
１８・・・第１係合部
１９・・・凹部
２０・・・第２係合部
２２・・・パーツ名称表示用プレート
２３，２４・・・部品番号表示プレート
３０・・・成形用金型
３１・・・固定型
３２・・・可動型
３３・・・湯道
４０・・・成形用キャビティ
４１・・・三連装機銃形成用空所
４２・・・二連装機銃形成用空所
４３・・・枝状ランナー形成用空所
４４・・・中枠ランナー形成用空所
４５・・・外枠ランナー形成用空所
４６・・・表示用プレート形成用空所
５１・・・突出部形成用空所
５２・・・第１係合部形成用空所
５３・・・第２係合部形成用空所
５４・・・突起
６１．６２・・・押出ピン
【図１】
2010012114.tif 000003
【図２】
2010012114.tif 000004
【図３】
2010012114.tif 000005
【図４】
2010012114.tif 000006
【図５】
2010012114.tif 000007
【図６】
2010012114.tif 000008
【図７】
2010012114.tif 000009
【図８】
2010012114.tif 000010
【図９】
2010012114.tif 000011